(57)【要約】【課題】低コストであって、比較的短時間で構築することができ、しかも、優れた耐震性を有する。【解決手段】水平方向に沿って直線状に延びる土嚢１１Ａを、上下方向に複数段に積み重ねて背面側壁本体部１１が形成されており、背面側壁本体部１１の長手方向に所定の間隔をあけて複数の支持部材１２が配置されている。各支持部材１２は、背面側壁本体部１１の幅方向の両側において、それぞれが地面に立設された外部支柱１２ａおよび内部支柱１２ｂを有している。外部支柱１２ａおよび内部支柱１２ｂは、複数の結合プレート１２ｃによって相互に結合されている。背面側壁本体部１１は、圧縮機構１４によって下方に圧縮されている。【選択図】図１
2013177750.tif 000002
【特許請求の範囲】
【請求項１】
水平方向に沿って直線状に延びる土嚢、または、複数の土嚢を水平方向に沿って直線状に並べられた土嚢群を、上下方向に複数段に積み重ねた壁本体部と、
当該壁本体部の幅方向の両側に沿ってそれぞれ地面に立設されて相互に結合された一対の支柱をそれぞれ有し、当該一対の支柱によって建築物の一部を支持する支持部材と、
前記壁本体部を下方に圧縮する圧縮手段と、
を有することを特徴とする支持壁構造体。
【請求項２】
前記一対の支柱は、前記壁本体部における相互に積み重ねられた土嚢または土嚢群の間を通って、当該一対の支柱のそれぞれに対してスライド可能に設けられた連結プレートによって連結されていることを特徴とする請求項１に記載の支持壁構造体。
【請求項３】
前記圧縮手段は、
前記一対の支柱のそれぞれに対してスライド可能な状態で、前記壁本体部上において当該一対の支柱を連結する圧縮プレートと、
前記圧縮プレートを下方へ押圧する押圧手段と、
を有することを特徴とする請求項１または２に記載の支持壁構造体。
【請求項４】
前記押圧手段は、
前記一対の支柱のいずれか一方に対して、前記圧縮プレートの上側においてスライド可能に係合したワイヤーと、
当該ワイヤーにおける前記支柱との係合部分に下方への分力が作用するように、当該ワイヤーを牽引する牽引部材と、
を有することを特徴とする請求項３に記載の支持壁構造体。
【請求項５】
前記圧縮手段は、前記圧縮プレートと前記壁本体部の上面との間に、土嚢または土嚢群の長手方向に沿って配置された圧縮棒を有すること
を特徴とする請求項３または４に記載の支持壁構造体。
【請求項６】
前記押圧手段は、前記圧縮プレートを下方に押圧した状態で、前記一対の支柱のそれぞれにおける任意の位置において固定する固定手段を有することを特徴とする請求項３に記載の支持壁構造体。
【請求項７】
請求項１〜６のいずれか一項に記載の支持壁構造体と、
当該支持壁構造体の支持部材にてよって支持された屋根体と
を有することを特徴とする簡易建築物。
【請求項８】
前記支持壁構造体を構成する各土嚢は、一部に通気性を有する土嚢袋を有し、当該土嚢袋における通気性を有する部分が室外に位置するように上下方向に積み重ねられており、
前記土嚢の内部に水を供給するシステムをさらに有すること
を特徴とする請求項７に記載の簡易建築物。
【発明の詳細な説明】
【技術分野】
【０００１】
本発明は、植物栽培室等の簡易建築物に好適に使用することができる支持壁構造体および当該支持壁構造体を用いた簡易建築物に関する。
【背景技術】
【０００２】
住居用等の各種建築物においては、地震、風などの水平荷重（横からの力）に抵抗する能力を有する壁（耐力壁）が使用されることがある。例えば、特許文献１には、上下の梁の間に、縦筋と横筋とからなる鉄筋組立体を形成し、組み立てられた鉄筋組立体に対してコンクリートを打設することによって形成された壁体を有する壁構造が開示されている。このような構成の壁構造によって、地震時の曲げ圧縮部の圧壊を防ぐことができ、また、施工に係る作業を簡便なものとすることができる。
【先行技術文献】
【特許文献】
【０００３】
【特許文献１】特開平１１−４４０２２号公報
【発明の概要】
【発明が解決しようとする課題】
【０００４】
しかしながら、特許文献１に開示された壁構造は、長期にわたって耐久性が要求される住居、事務所等の建築物に適用されるものであり、このために、縦筋と横筋とからなる鉄筋組立体およびコンクリートという比較的コストの高い材料が使用されている。また、現場における鉄筋の組み立て、コンクリートの打設のために、比較的、長い作業時間が必要となる。
【０００５】
このような、住居、事務所等の用途ではなく、温室等の植物栽培室、畜舎等に使用される簡易建築物では、鉄筋コンクリートよりも低コストであり、しかも、比較的短時間で構築することができ、しかも、優れた耐震性を有する壁構造体が要望されている。
本発明は、このような問題に鑑みてなされたものであり、その目的は、鉄筋コンクリートよりも低コストであって、比較的短時間で構築することができ、しかも、優れた耐震性を有する支持壁構造体を提供することにある。本発明の他の目的は、そのような支持壁構造体を用いた簡易建築物を提供することにある。
【課題を解決するための手段】
【０００６】
上記目的を達成するため、本発明に係る支持壁構造体は、水平方向に沿って直線状に延びる土嚢、または、複数の土嚢を水平方向に沿って直線状に並べられた土嚢群を、上下方向に複数段に積み重ねた壁本体部と、当該壁本体部の幅方向の両側に沿ってそれぞれ地面に立設されて相互に結合された一対の支柱をそれぞれ有し、当該一対の支柱によって建築物の一部を支持する支持部材と、前記壁本体部を下方に圧縮する圧縮手段と、を有することを特徴とする。
【０００７】
また、本発明に係る簡易建築物は、前記支持壁構造体と、当該支持壁構造体にて支持された屋根体と、を有することを特徴とする。
【発明の効果】
【０００８】
本発明の支持壁構造体では、壁本体部に地震の振動等によって曲げ応力が加わった場合、壁本体部には、圧縮力が加わる部分と引っ張り力が加わる部分とが生じるが、土嚢内の土が圧縮力に対する強度に優れているために、圧縮力が加わる部分が崩壊するおそれはない。また、引っ張り力が生じる部分においては、壁本体部に付加された圧縮力によって、壁本体部に加わる引っ張り力が緩和される。これにより、引っ張り力が生じても、壁本体部は崩壊するおそれがない。その結果、本発明の支持壁構造体は、地震による倒壊のおそれがない。
【０００９】
また、本発明の支持壁構造体は、土嚢を積み重ねた壁本体部の構築と、一対の支柱を有する支持部材の構築とが同時に行われるために、支持壁構造体を比較的短時間で構築することができる。さらには、壁本体部が、土嚢を積み重ねた構成になっているために、鉄筋コンクリートを使用する場合よりも低コストであり、経済性が向上する。
好ましくは、前記一対の支柱は、前記壁本体部における相互に積み重ねられた土嚢または土嚢群の間を通って、当該一対の支柱のそれぞれに対してスライド可能に設けられた連結プレートによって連結されていることを特徴とする。
【００１０】
好ましくは、前記圧縮手段は、前記一対の支柱のそれぞれに対してスライド可能な状態で、前記壁本体部上において当該一対の支柱を連結する圧縮プレートと、前記圧縮プレートを下方へ押圧する押圧手段と、を有することを特徴とする。
好ましくは、前記押圧手段は、前記一対の支柱のいずれか一方に対して、前記圧縮プレートの上側においてスライド可能に係合したワイヤーと、当該ワイヤーにおける前記支柱との係合部分に下方への分力が作用するように、当該ワイヤーを牽引する牽引部材と、を有することを特徴とする。
【００１１】
好ましくは、前記圧縮手段は、前記圧縮プレートと前記壁本体部の上面との間に、土嚢または土嚢群の長手方向に沿って配置された圧縮棒を有することを特徴とする。
好ましくは、前記押圧手段は、前記圧縮プレートを下方に押圧した状態で、前記一対の支柱のそれぞれにおける任意の位置において固定する固定手段を有することを特徴とする。
【００１２】
好ましくは、前記簡易建築物において、前記支持壁構造体を構成する各土嚢は、一部に通気性を有する土嚢袋を有し、当該土嚢袋における通気性を有する部分が室外に位置するように上下方向に積み重ねられており、前記土嚢の内部に水を供給するシステムをさらに有することを特徴とする。
【図面の簡単な説明】
【００１３】
【図１】本発明の実施の形態に係る支持壁構造体を用いた簡易建築物の一例である植物栽培室の構成を説明するための横断面図である。
【図２】図１に示す植物栽培室における屋根体を取り除いた状態を説明するための平面図である。
【図３】図１に示す植物栽培室の背面側の側面図である。
【図４】図１に示す植物栽培室における第１側面支持壁構造体側の側面図である。
【図５】図１に示す植物栽培室における第２側面支持壁構造体側の側面図である。
【図６】第１側面支持壁構造体における正面支持壁構造体側の端部の構成を説明するための主要部の側面図である。
【図７】図６に示す部分の平面図である。
【図８】背面支持壁構造体に使用される土嚢の断面図である。
【図９】（ａ）は、背面支持壁構造体に使用される連結プレートの縦断面図、（ｂ）は、その連結プレートの平面図である。
【発明を実施するための形態】
【００１４】
以下、本発明に係る支持壁構造体を用いた簡易建築物である植物栽培室について説明する。
＜植物栽培室の構成＞
図１は、本発明の実施の形態に係る壁構造を用いた簡易建築物の一例である植物栽培室の構成を説明するための横断面図である。この植物栽培室は、本発明の支持壁構造体を有する躯体Ａと、躯体Ａによって支持された屋根体Ｂとを有している。
【００１５】
図２は、その植物栽培室における屋根体を取り除いた状態を説明するための平面図である。植物栽培室における躯体Ａは、図２に示すように、直方体形状に構成されており、躯体Ａの長手方向に沿って配置された背面支持壁構造体１０および正面支持壁構造体２０を有している。
背面支持壁構造体１０および正面支持壁構造体２０における相互に対向した一方の端部間には、背面支持壁構造体１０および正面支持壁構造体２０と直交するように配置された第１側面支持壁構造体３０が設けられている。
【００１６】
背面支持壁構造体１０における第１側面支持壁構造体３０とは反対側の端部には、背面支持壁構造体１０に対して直交状態になった第２側面支持壁構造体４０が設けられている。第２側面支持壁構造体４０は、背面支持壁構造体１０および正面支持壁構造体２０のほぼ中程まで達しており、第２側面支持壁構造体４０と正面支持壁構造体２０との間には、植物栽培室内の出入口になる開口部５０が設けられている。
【００１７】
図３は、植物栽培室の背面側の側面図である。図１および図３に示すように、背面支持壁構造体１０は、躯体Ａの長手方向に沿って立設された背面壁本体部１１を有している。背面壁本体部１１は、それぞれが躯体Ａの長手方向に沿って長く延びる土嚢１１Ａが１０段にわたって上下方向に積み重ねられた構成になっている。各土嚢１１Ａは、それぞれの長さが、例えば４０００ｍｍに構成されたチューブ形状の土嚢袋１１ａの内部に、土が充填されている。
【００１８】
図８は、土嚢１１Ａの横断面図である。土嚢袋１１ａは、内部に土が充填された状態では、幅方向長さが４００ｍｍ、上下方向長さが２００ｍｍの断面長方形状（但し、全てのコーナー部が円弧状になっている）になる。土嚢袋１１ａの上面における幅方向の中央部には、長手方向に沿って延びるスリット１１ｃが、長手方向の両側の端部を除いて設けられている。
【００１９】
土嚢袋１１ａは、幅方向の一方の側部が、防水性のポリエチレンシートによって構成された防水部１１ｅになっており、防水部１１ｅ以外の部分は、通気性を有する不織布によって構成された通気部１１ｆになっている。防水部１１ｅは、土嚢袋１１ａの上面におけるスリット１１ｃの長手方向に沿った一方の側縁から、当該側縁に対向する底面の位置にわたって、一方の側部を囲むように形成されている。
【００２０】
背面壁本体部１１を構成する各土嚢１１Ａは、それぞれの土嚢袋１１ａにおける防水部１１ｅが躯体Ａの内部に位置するように積み重ねられている。
なお、正面支持壁構造体２０も、図１に示すように、それぞれ躯体Ａの長手方向に沿って立設された正面壁本体部２１を有している。正面壁本体部２１も、背面壁本体部１１を構成する土嚢１１Ａと同様の構成の土嚢２１Ａ（但し、土嚢１１Ａとは長さが異なるものが含まれている）が９段にわたって上下方向に積み重ねられて構成されている。正面壁本体部２１においても、土嚢袋における防水部が躯体Ａの内部に位置するように、各土嚢２１Ａが積み重ねられている。正面支持壁構造体２０の詳細については後述する。
【００２１】
図４は、植物栽培室における第１側面支持壁構造体３０側の側面図、図５は、植物栽培室における第２側面支持壁構造体４０側の側面図である。第２側面支持壁構造体４０は、第１側面支持壁構造体３０の１／２程度の長さになっている。第１側面支持壁構造体３０および第２側面支持壁構造体４０も、それぞれ躯体Ａの幅方向に沿った第１側面壁本体部３１（図４参照）および第２側面壁本体部４１（図５参照）をそれぞれ有しており、それぞれ、躯体Ａの幅方向に沿った複数の土嚢３１Ａおよび４１Ａが９段にわたって積み重ねてられている。
【００２２】
土嚢３１Ａおよび４１Ａのそれぞれも、背面壁本体部１１の土嚢１１Ａとは、長さが異なること以外は同様の構成になっており、土嚢袋における防水部が躯体Ａの内部に位置するように、それぞれ積み重ねられている。第１側面支持壁構造体３０および第２側面支持壁構造体４０の詳細については後述する。
次に、背面支持壁構造体１０の詳細について説明する。図３に示すように、背面支持壁構造体１０の背面壁本体部１１は、下から数えて奇数段目（以下同様）の土嚢１１Ａと、下から数えて偶数段目（以下同様）の土嚢１１Ａとが、各土嚢１１Ａの幅方向の長さだけ長手方向に沿ってずれた状態で積み重ねられている。
【００２３】
この場合、奇数段目の土嚢１１Ａは、偶数段目の土嚢１１Ａに対して第１側面支持壁構造体３０側にずれた状態になっており、奇数段目の土嚢１１Ａ上には、偶数段目の土嚢１１Ａに隣接して、第１側面支持壁構造体３０における第１側面壁本体部３１を構成する偶数段目の土嚢３１Ａの端部が積み重ねられている。また、背面壁本体部１１における偶数段目の土嚢１１Ａは、奇数段目の土嚢１１Ａに対して第２側面支持壁構造体４０側にずれた状態になっており、偶数段目の土嚢１１Ａにおける第２側面支持壁構造体４０側にずれた状態の端部が、第２側面支持壁構造体４０の第２側面壁本体部４１を構成する奇数段目の土嚢４１Ａの端部上に積み重ねられている。
【００２４】
図１および図２に示すように、背面支持壁構造体１０には、背面壁本体部１１の幅方向の両側において地面に立設された一対の外部支柱１２ａおよび内部支柱１２ｂをそれぞれ有する支持部材１２が、長手方向に所定の間隔（例えば６００ｍｍ）をあけて設けられている。外部支柱１２ａおよび内部支柱１２ｂのそれぞれの上端部は、背面壁本体部１１の上面よりも上方に延びている。
【００２５】
各支持部材１２を構成する外部支柱１２ａおよび内部支柱１２ｂは、例えば、直径が４８．６ｍｍの鉄パイプによってそれぞれ構成されている。なお、外部支柱１２ａおよび内部支柱１２ｂのそれぞれは、図３に示すように、躯体Ａの外側において背面壁本体部１１に沿って垂直状態になるように地面に埋設された部分と、その上側に垂直状態で連結された部分とを有する構成になっている。
【００２６】
図１に示すように、各支持部材１２を構成する外部支柱１２ａおよび内部支柱１２ｂは、背面壁本体部１１をそれぞれ幅方向に沿って貫通した状態の複数（本実施形態では４枚）の連結プレート１２ｃによって、上下方向における適当な間隔をあけて相互に連結されている。
図９（ａ）は、連結プレート１２ｃの縦断面図、図９（ｂ）は、連結プレート１２ｃの平面図である。連結プレート１２ｃは、一定の幅方向長さを有する帯板形状になっており、長手方向の両側の各端部に貫通孔１２ｄがそれぞれ設けられている。
【００２７】
各連結プレート１２ｃは、背面壁本体部１１における下から２段目と３段目の土嚢１１Ａの間、下から４段目と５段目の土嚢１１Ａの間、下から６段目と７段目の土嚢１１Ａの間、下から８段目と９段目の土嚢１１Ａの間をそれぞれ通過するように配置されており、各連結プレート１２ｃに設けられた各貫通孔１２ｄ内を、外部支柱１２ａおよび内部支柱１２ｂのそれぞれがスライド可能に貫通している。
【００２８】
支持部材１２を構成する外部支柱１２ａおよび内部支柱１２ｂは、各連結プレート１２ｃによって、相互に離間しない状態に連結されており、従って、外部支柱１２ａおよび内部支柱１２ｂの間において、土嚢１１Ａは、幅方向にずれない状態で安定的に上下方向に積み重ねられている。
図１、図２、図４に示すように、背面壁本体部１１には、土嚢１１Ａを圧縮する圧縮機構１４が設けられている。圧縮機構１４は、最上部の土嚢１１Ａの上面に載置された一対の圧縮棒１４ａと、一対の圧縮棒１４ａを最上部の土嚢１１Ａに押し付けるための複数の圧縮プレート１４ｂとを有している。
【００２９】
一対の圧縮棒１４ａは、最上部の土嚢１１Ａの長手方向のほぼ全域にわたる長さを有しており、最上部の土嚢１１Ａに設けられたスリット１１ｃを挟んで、当該スリット１１ｃの幅方向の両側に、長手方向に沿った状態で土嚢１１Ａ上に載置されている。
各圧縮プレート１４ｂは、前述した連結プレート１２ｃと同様の構成になっており、長手方向の両側の端部に貫通孔が設けられている。圧縮プレート１４ｂは、背面壁本体部１１における長手方向の一方の端部に近接して配置された支持部材１２と、当該支持部材１２に対して１つ置きに順番に配置された２つの支持部材１２のそれぞれにおける一対の外部支柱１２ａおよび内部支柱１２ｂに、圧縮プレート１４ｂの貫通孔がそれぞれスライド可能に嵌合している。
【００３０】
内部支柱１２ｂに対してスライド可能になった各圧縮プレート１４ｂの一方の端部は、クランプ部材１４ｃによって内部支柱１２ｂに対してスライドしない状態になっている。クランプ部材１４ｃは、各圧縮プレート１４ｂの一方の端部を上下方向にスライドしない状態としているが、各圧縮プレート１４ｂの他方の端部が上下方向に移動できるように、自在クランプが使用されている。
【００３１】
クランプ部材１４ｃが、内部支柱１２ｂに対する圧縮プレート１４ｂの一方の端部のクランプ状態を解除すると、圧縮プレート１４ｂは、内部支柱１２ｂに対してスライドし得る状態になる。
各圧縮プレート１４ｂにおける他方の端部は、このようなクランプ部材１４ｃによって固定されず、従って、常時、外部支柱１２ａに対してスライド可能になっている。
【００３２】
圧縮機構１４には、各圧縮プレート１４ｂのそれぞれに対して下方への押圧力を付与するワイヤー１４ｄがそれぞれ設けられている。各ワイヤー１４ｄは、一方の端部がリング状に構成されており、そのリング状の端部が、外部支柱１２ａの上部に、スライド可能な状態で嵌合されている。ワイヤー１４ｄは、圧縮プレート１４ｂの上側において、躯体Ａの外側の地面に向って斜め下方に引き出されている。
【００３３】
ワイヤー１４ｄの他方の端部は、地面に固定された支持杭１４ｅに、ターンバックル１４ｆを介して取り付けられている。ターンバックル１４ｆは、ワイヤー１４ｄを牽引した状態で支持杭１４ｅに連結することができる。
ワイヤー１４ｄは、ターンバックル１４ｆによって、牽引力が付与されて引っ張り状態にされると、ワイヤー１４ｄに加わる牽引力によって、外部支柱１２ａに嵌合された一方の端部（上端部）には、外部支柱１２ａに沿って下方へ向かう力が分力として作用する。
【００３４】
これにより、ワイヤー１４ｄの上端部は、外部支柱１２ａに沿って下方にスライドされて、圧縮プレート１４ｂの上面に当接する。このような状態で、ターンバックル１４ｆによって、ワイヤー１４ｄにさらに引っ張り力を加えると、ワイヤー１４ｄの上端部は、圧縮プレート１４ｂの上面を外部支柱１２ａに沿って下方へ押圧する。
この場合、ワイヤー１４ｄの上端部によって押圧力がそれぞれ付与される各圧縮プレート１４ｂの長手方向における一方の端部は、外部支柱１２ａに対してスライド可能になっているのに対して、各圧縮プレート１４ｂの他方の端部は、クランプ部材１４ｃによって、内部支柱１２ｂに対してスライドしない状態に固定されている。従って、各圧縮プレート１４ｂは、ワイヤー１４ｄの上端部による押圧力によって、外部支柱１２ａに嵌合した一方の端部が、内部支柱１２ｂに嵌合した他方の端部よりも下方に位置した傾斜状態になる。
【００３５】
このようにして、全ての圧縮プレート１４ｂに、外部支柱１２ａに沿った下方への押圧力が加えられると、全ての圧縮プレート１４ｂと最上部の土嚢１１Ａとの間に配置された一対の圧縮棒１４ａのそれぞれが、長手方向の全体にわたって下方に押圧される。これにより、最上部の土嚢１１Ａには、各圧縮棒１４ａによって、長手方向のほぼ全域にわたって下方への押圧力が加わり、上下方向に積み重ねられた全ての土嚢１１Ａには、上下方向への圧縮力が加わる。各土嚢１１Ａに圧縮力が加わると、それぞれの土嚢１１Ａは上下方向に圧縮されて、土嚢袋１１ａ内に充填された土が締め固められる。
【００３６】
この場合、各圧縮プレート１４ｂにおける内部支柱１２ｂに嵌合された一方の端部は、クランプ部材１４ｃによってスライドしない状態に固定されているために、内部支柱１２ｂに近接して配置された圧縮棒１４ａによる土嚢１１Ａに対する圧縮力は、外部支柱１２ａに近接して配置された圧縮棒１４ａによる圧縮力よりも若干小さくなる。
土嚢１１Ａが圧縮すると、ワイヤー１４ｄは弛緩状態になって引っ張り力が加わらない状態になるために、土嚢１１Ａを圧縮させることができなくなる。これにより、圧縮プレート１４ｂは、外部支柱１２ａに嵌合された端部が内部支柱１２ｂに嵌合された端部よりも低くなった傾斜状態で停止する。
【００３７】
このような状態になると、各圧縮プレート１４ｂにおける内部支柱１２ｂに嵌合した端部のクランプ部材１４ｃによる固定状態を解除して、当該端部を内部支柱１２ｂに対して下方へスライドさせる。そして、各圧縮プレート１４ｂを、最上部の土嚢１１Ａにおける上面に当接させた状態として、クランプ部材１４ｃによって圧縮プレート１４ｂの端部を内部支柱１２ｂに固定する。その後に、ターンバックル１４ｆを調整して、ワイヤー１４ｄに引っ張り力を加える。
【００３８】
これにより、前述したように、ワイヤー１４ｄの上端部によって、圧縮プレート１４ｂにおける外部支柱１２ａに嵌合した端部が下方に押圧されて、各土嚢１１Ａが、再度、圧縮される。
その後、各圧縮プレート１４ｂが再び傾斜した状態で停止されて、ワイヤー１４ｄに引っ張り力が加わらない弛緩状態になると、前述した作業を繰り返して、土嚢１１Ａに圧縮力を加える。
【００３９】
このような土嚢１１Ａの圧縮作業を繰り返すことによって、背面壁本体部１１を構成する全ての土嚢１１Ａは、ほぼ全体にわたって均等に上下方向に圧縮される。これにより、土嚢１１Ａの内部に収容された土は確実に締め固められた状態になる。
全ての土嚢１１Ａ内に収容された土が締め固められると、ターンバックル１４ｆを調整してワイヤー１４ｄに引っ張り力を加えても、全ての土嚢１１Ａは、ほとんど圧縮しない状態になる。このような状態になると、ターンバックル１４ｆによって、ワイヤー１４ｄによる引っ張り力を加えた状態として、土嚢１１Ａの圧縮作業を終了する。その後は、経時的にワイヤー１４ｄが弛緩した状態になった場合に、ターンバックル１４ｆを調節して、ワイヤー１４ｄに引っ張り力を加えればよい。
【００４０】
なお、ワイヤー１４ｄに加わる引っ張り力によって各土嚢１１Ａが圧縮すると、土嚢１１Ａには幅方向に広がる力が加わる。この場合、土嚢１１Ａの幅方向の両側の外部支柱１２ａおよび内部支柱１２ｂは、複数枚の連結プレート１２ｃによって連結された状態になっているために、外部支柱１２ａおよび内部支柱１２ｂが幅方向に広がるおそれがない。従って、上下方向に積み重ねられた土嚢１１Ａは、幅方向にずれることなく、安定的に上下方向に積み重ねられた状態を維持する。
【００４１】
また、各土嚢１１Ａは、土嚢袋１１ａの上面に、長手方向に沿ったスリット１１ｃが形成されているために、上側に積み重ねられた土嚢１１Ａの土嚢袋１１ａの底面は、スリット１１ｃを介して、下側の土嚢１１Ａにおける土嚢袋１１ａ内の土と接触することになる。このような状態では、土嚢袋１１ａ同士が接触した状態になっている場合よりも、土嚢１１Ａ同士の摩擦係数が大きくなり、上側の土嚢１１Ａが下側の土嚢１１Ａに対して幅方向にずれることが抑制される。
【００４２】
なお、背面支持壁構造体１０には、図３に示すように、全ての支持部材１２における各外部支柱１２ａの下部および上部に水平状態でそれぞれ支持された外部下段補強梁１５ａおよび外部上段補強梁１７ａと、外部下段補強梁１５ａおよび外部上段補強梁１７ａの中程において全ての外部支柱１２ａに水平状態で支持された外部中段補強梁１６ａとを有している。
【００４３】
さらに、外部下段補強梁１５ａ、外部中段補強梁１６ａ、外部上段補強梁１７ａには、第１側面支持壁構造体３０との交差部および第２側面支持壁構造体４０との交差部のそれぞれの近傍の下部から、外部上段補強梁１７ａにおける長手方向の中程にかけて傾斜状態に配置された一対の外部筋違１８ａがそれぞれ支持されている。
なお、背面支持壁構造体１０における全ての内部支柱１２ｂにも、外部下段補強梁１５ａ、外部中段補強梁１６ａ、外部上段補強梁１７ａおよび一対の外部筋違１８ａとそれぞれ同様の構成になった内部下段補強梁、内部中段補強梁、内部上段補強梁および一対の内部筋違（いずれも図示せず）がそれぞれ支持されている。
【００４４】
また、図２および図３に示すように、背面支持壁構造体１０における第１側面支持壁構造体３０および第２側面支持壁構造体４０側の端部には、外部下段補強梁１５ａ、外部中段補強梁１６ａ、外部上段補強梁１７ａの両側の各端部をそれぞれ支持する第１背面補助支柱１９ａおよび第２背面補助支柱１９ｂが地面に立設されている。第１および第２の背面補助支柱１９ａおよび１９ｂは、第１側面支持壁構造体３０および第２側面支持壁構造体４０のそれぞれの幅方向の中央に対応した位置に配置されている。
【００４５】
次に、背面支持壁構造体１０に対向して配置された正面支持壁構造体２０について説明する。正面支持壁構造体２０は、前述した正面壁本体部２１の構成が背面支持壁構造体１０における背面壁本体部１１の構成と異なっていること以外は、背面支持壁構造体１０とほぼ同様の構成になっている。
また、正面壁本体部２１においては、偶数段目に配置された土嚢２１Ａは、背面壁本体部１１を構成する土嚢１１Ａと同様の長さを有しているが、奇数段に配置された土嚢２１Ａが、偶数段目に配置された土嚢２１Ａよりも、それぞれの土嚢２１Ａの幅方向長さ分だけ長くなっており、図４に示すように、奇数段目の土嚢２１Ａにおける第１側面支持壁構造体３０側の端部には、第１側面壁本体部３１を構成する偶数段目の土嚢３１Ａの正面側の端部がそれぞれ積み重ねられている。
【００４６】
偶数段目の土嚢２１Ａは、奇数段目の土嚢２１Ａに対して、第１側面支持壁構造体３０とは反対側にずれた状態になっており、図５に示すように、奇数段目および偶数段目の各土嚢２１Ａは、第２側面支持壁構造体４０側の端部は、上下方向に揃った状態になっている。
図１に示すように、正面支持壁構造体２０にも、正面壁本体部２１における幅方向の両側に立設された一対の外部支柱２２ａおよび内部支柱２２ｂをそれぞれ有する複数の支持部材２２が長手方向に一定の間隔をあけて設けられている。
【００４７】
図６は、正面支持壁構造体２０と第１側面支持壁構造体３０との交差部における第１側面支持壁構造体３０側からの側面図、図７は、その平面図である。
図６および図７に示すように、各支持部材２２を構成する外部支柱２２ａおよび内部支柱２２ｂは、複数の連結プレート２２ｃによって相互に連結されている。連結プレート２２ｃは、図９に示された背面支持壁構造体１０の連結プレート１２ｃの構成と同様になっている。
【００４８】
また、正面支持壁構造体２０の正面壁本体部２１も、上下方向に積み重ねられた土嚢２１Ａが、圧縮機構２４によって圧縮されている。この圧縮機構２４も、背面支持壁構造体１０に設けられた圧縮機構１４と同様に、最上部の土嚢２１Ａの上面を押圧する一対の圧縮棒２４ａと、一対の圧縮棒２４ａを最上部の土嚢２１Ａに押し付けるための複数の圧縮プレート２４ｂと、圧縮プレート２４ｂを下方に押圧するためのワイヤー２４ｄと、ワイヤー２４ｄを地面に固定するための支持杭２４ｅ（図２参照）と、ワイヤー２４ｄを引っ張り状態に調節するターンバックル２４ｆ（同じく図２参照）とを有している。
【００４９】
さらに、正面支持壁構造体２０においても、全ての外部支柱１２ａの下部、最上部、中間部のそれぞれに、背面支持壁構造体１０と同様に、水平状態になった外部下段補強梁２５ａ、外部中段補強梁２６ａ、外部上段補強梁２７ａ（それぞれ図１参照）が支持されるとともに、一対の筋違（図示せず）がそれぞれ支持されている。
なお、正面支持壁構造体２０における全ての内部支柱２２ｂにも、外部下段補強梁２５ａ、外部中段補強梁２６ａ、外部上段補強梁２７ａおよび一対の外部筋違とそれぞれ同様の構成になった内部下段補強梁２５ｂ（図５参照）、内部中段補強梁２６ｂ（図５参照）、内部上段補強梁２７ｂ（図５参照）および一対の内部筋違（図示せず）が支持されている。
【００５０】
図１に示すように、正面支持壁構造体２０における第１側面支持壁構造体３０側の端部には、第１側面支持壁構造体３０の幅方向の中央位置に対応した位置において地面に立設された第１正面補助支柱２９ａが設けられている。第１正面補助支柱２９ａには、外部下段補強梁２５ａ、外部中段補強梁２６ａ、外部上段補強梁２７ａのそれぞれが連結されている。
【００５１】
図１および図５に示すように、正面支持壁構造体２０における第２側面支持壁構造体４０側の端部には、正面壁本体部２１の幅方向の中央位置に対応した位置において地面に立設された第２正面補助支柱２９ｂが設けられている。図５に示すように、第２正面補助支柱２９ｂには、外部下段補強梁２５ａおよび外部中段補強梁２６ａのそれぞれに連結された端部下段補強梁２９ｄおよび端部中段補強梁２９ｅが水平な状態で支持されている。端部下段補強梁２９ｄおよび端部中段補強梁２９ｅには、内部下段補強梁２５ｂおよび内部中段補強梁２６ｂもそれぞれ連結されている。
【００５２】
次に、第１側面支持壁構造体３０について説明する。図４に示すように、第１側面支持壁構造体３０の第１側面壁本体部３１では、各土嚢３１Ａは、それぞれが等しい長さ（但し、背面壁本体部１１の各土嚢１１Ａよりも短い）を有している。
第１側面壁本体部３１では、奇数段目の土嚢３１Ａが、偶数段目の土嚢３１Ａに対して背面支持壁構造体１０の背面壁本体部１１側にずれた状態になっており、奇数段目の土嚢３１Ａにおける背面側の端部に、背面壁本体部１１を構成する偶数段目の土嚢１１Ａの端部が積み重ねられている。また、偶数段目の土嚢３１Ａは、正面支持壁構造体２０の正面壁本体部２１を構成する奇数段目の土嚢２１Ａの端部上に、それぞれ積み重ねられている。
【００５３】
図２に示すように、第１側面支持壁構造体３０には、第１側面壁本体部３１における幅方向の両側に立設された一対の外部支柱３２ａおよび内部支柱３２ｂをそれぞれ有する複数（本実施形態では４つ）の支持部材３２が長手方向に一定の間隔をあけて配置されている。各支持部材３２を構成する一対の外部支柱３２ａおよび内部支柱３２ｂ同士は、複数の連結プレート３２ｃによって相互に連結されている。連結プレート３２ｃは、図９に示された背面支持壁構造体１０の連結プレート１２ｃの構成と同様になっている。
【００５４】
また、第１側面支持壁構造体３０の第１側面壁本体部３１も、上下方向に積み重ねられた土嚢３１Ａが、圧縮機構３４によって圧縮されている。圧縮機構３４は、図４に示すように、第１側面壁本体部３１上における背面壁本体部１１に隣接して積み重ねられた圧縮用土嚢３４ｇと、圧縮用土嚢３４ｇを下方に押圧する１本の圧縮棒３４ａとを有している。
【００５５】
圧縮棒３４ａは、背面壁本体部１１における上面（１０段目の土嚢１１Ａの上面）と、正面支持壁構造体２０の正面壁本体部２１における上面（９段目の土嚢１１Ａの上面）との間にわたって架設されている。
圧縮用土嚢３４ｇは、第１側面壁本体部３１を構成する９段の土嚢３１Ａと同様の幅方向長さを有しているが、土嚢３１Ａの１／２程度の長さになっている。また、圧縮用土嚢３４ｇは、背面壁本体部１１から正面壁本体部２１にわたって架設された圧縮棒３４ａによって長手方向の全域にわたって押圧されるように、上下方向長さ（厚さ）が、背面壁本体部１１側から正面壁本体部２１にかけて、順次、短く（薄く）なっている。
【００５６】
第１側面支持壁構造体３０に設けられた圧縮棒３４ａは、図６および図７に示すように、正面支持壁構造体２０の正面壁本体部２１上に一方の端部が位置しており、当該正面壁本体部２１上に設けられた一対の圧縮棒２４ａのうち躯体Ａの内部側に設けられた圧縮棒２４ａの下側に配置されている。従って、圧縮棒２４ａの一方の端部が、正面支持壁構造体２０に設けられた圧縮機構２４における圧縮プレート２４ｂによって下方に押圧されると、第１側面支持壁構造体３０に設けられた圧縮棒３４ａが下方へ押圧されるようになっている。
【００５７】
第１側面支持壁構造体３０に設けられた圧縮棒３４ａの他方の端部は、図４に示すように、背面支持壁構造体１０の背面壁本体部１１上において、当該背面壁本体部１１上に設けられた一対の圧縮棒１４ａのうち躯体Ａの内部側に設けられた圧縮棒１４ａの下側に配置されている。従って、圧縮棒１４ａの他方の端部が、背面支持壁構造体１０に設けられた圧縮機構１４における圧縮プレート１４ｂによって下方に押圧されることにより、下方に押圧されるようになっている。
【００５８】
圧縮棒３４ａの両側の各端部がそれぞれ下方に押圧されると、圧縮棒３４ａが全体にわたって下方に押圧された状態になり、第１側面壁本体部３１上に載置された圧縮用土嚢３４ｇの上面に圧接される。これにより、圧縮用土嚢３４ｇが圧縮される。
圧縮用土嚢３４ｇが圧縮された状態になると、圧縮棒３４ａは、圧縮用土嚢３４ｇが載置されていない第１側面壁本体部３１における最上部の土嚢３１Ａにおける正面壁本体部２１側の上面に圧接され、最上部の土嚢３１Ａを下方へ押圧するようになっている。
【００５９】
圧縮用土嚢３４ｇおよび圧縮棒３４ａによって第１側面壁本体部３１が下方に押圧されると、第１側面壁本体部３１を構成するそれぞれの土嚢３１Ａが圧縮状態になり、土嚢３１Ａ内の土が締め固められる。
さらに、図４に示すように、全ての外部支柱３２ａの下部と、上下方向の中程の位置とにおいて、水平方状態になった下段補強梁３５ａおよび中段補強梁３６ａがそれぞれ支持されている。また、全ての外部支柱３２ａにおける上部には、上段補強梁３７ａが支持されている。上段補強梁３７ａは、背面壁本体部１１の上面（最上部の土嚢１１Ａの上面）と、正面壁本体部２１の上面（最上部の土嚢２１Ａの上面）との高低差に対応した高低差を有するように傾斜している。
【００６０】
また、下段補強梁３５ａ、中段補強梁３６ａ、上段補強梁３７ａには、背面壁本体部１０側の下部から、正面壁本体部２０側の上部にかけて傾斜した状態の筋違３８ａが支持されている。
下段補強梁３５ａ、中段補強梁３６ａ、上段補強梁３７ａのそれぞれにおける背面支持壁構造体１０側の端部および正面支持壁構造体２０側の端部のそれぞれは、背面支持壁構造体１０の第１背面補助支柱１９ａおよび正面支持壁構造体２０の第１背面補助支柱２９ａに支持されている。
【００６１】
次に、第２側面支持壁構造体４０について説明する。図５に示すように、第２側面支持壁構造体４０の第２側面壁本体部４１は、奇数段目の土嚢４１Ａが、躯体Ａにおける幅方向に沿った長さの１／２程度の長さになっているが、奇数段目の土嚢４１Ａは、偶数段目の土嚢４１Ａよりも、幅方向長さ分だけ短くなっている。
奇数段目の土嚢４１Ａのそれぞれは、偶数段目の土嚢４１Ａよりも背面壁本体部１１とは反対側方向にずれた状態になっており、全ての土嚢４１Ａにおける背面壁本体部１１とは反対側の端部が上下方向に揃った状態になっている。そして、前述したように、偶数段目の土嚢４１Ａにおける背面壁本体部１１の端部が、背面壁本体部１１を構成する奇数段目の土嚢１１Ａに積み重ねられている。
【００６２】
第２側面支持壁構造体４０には、図２に示すように、第２側面壁本体部４１における幅方向の両側に立設された一対の外部支柱４２ａおよび内部支柱４２ｂをそれぞれ有する１つの支持部材４２が設けられている。この支持部材４２は、第２側面壁本体部４１の長手方向のほぼ中央部に配置されている。図５に示すように、支持部材４２を構成する一対の外部支柱４２ａおよび内部支柱４２ｂ同士は、複数の連結プレート４２ｃによって相互に連結されている。
【００６３】
また、第２側面支持壁構造体４０の第２側面壁本体部４１も、上下方向に積み重ねられた土嚢４１Ａが、圧縮機構４４によって圧縮されている。図２および図５に示すように、この圧縮機構４４は、背面支持壁構造体１０に設けられた圧縮機構１４と同様に、最上部の土嚢４１Ａの上面に載置された一対の圧縮棒４４ａと、一対の圧縮棒４４ａを最上部の土嚢４１Ａに押し付けるために、支持部材４２に取り付けられた圧縮プレート４４ｂと、圧縮プレート４４ｂを下方に押圧するためのワイヤー４４ｄ（図２参照）と、ワイヤー４４ｄを地面に固定するための支持杭４４ｅ（図２参照）と、ワイヤー４４ｄを引っ張り状態に調節するターンバックル４４ｆ（同じく図２参照）と、を有している。
【００６４】
さらに、図２および図５に示すように、第２側面支持壁構造体４０における正面側の端部には、外部補助支柱４３ａおよび内部補助支柱４３ｂを有する補助支持部材４３が設けられている。外部補助支柱４３ａおよび内部補助支柱４３ｂは、それぞれ躯体Ａの外部および内部において地面に立設されている。
また、第２側面支持壁構造体４０における支持部材４２の外部支柱４２ａと、背面支持壁構造体１０における第２背面補助支柱１９ｂとの間には、補助支柱４９ａが地面に立設されている。
【００６５】
さらに、図５に示すように、補助支柱４９ａと、外部支柱４２ａ、外部補助支柱４３ａのそれぞれには、地面に近接した下部と、第２側面壁本体部４１の上下方向の中程の位置とにおいて、水平方向に沿って配置された下段補強梁４５ａおよび中段補強梁４６ａがそれぞれ支持されている。また、補助支柱４９ａと、支持部材４２の外部支柱４２ａにおける最上部とには、上段補強梁４７ａが支持されている。
【００６６】
上段補強梁４７ａは、第２側面支持壁構造体４０の第２側面壁本体部４１よりも正面側に延出しており、その正面側の端部が、正面壁本体部２１の上方を通過している。上段補強梁４７ａは、背面壁本体部１１の上面（最上部の土嚢１１Ａの上面）と、正面壁本体部２１の上面（最上部の土嚢２１Ａの上面）との高低差に等しい高低差を有するように傾斜している。
【００６７】
下段補強梁４５ａおよび中段補強梁４６ａには、下部筋違４８ａが支持されている。下部筋違４８ａは、下段補強梁４５ａにおける背面側の端部近傍位置から、中段補強梁４６ａにおける正面側の端部近傍位置にかけて傾斜した状態になっている。
また、中段補強梁４６ａおよび上段補強梁４７ａには、上部筋違４８ｂが支持されている。上部筋違４８ｂは、中段補強梁４６ａにおける背面側の端部近傍位置から、上段補強梁４７ａにおける正面側の端部近傍位置にかけて、下部筋違４８ａと同様の傾斜状態で配置されている。
【００６８】
図２に示すように、第２側面支持壁構造体４０と、正面支持壁構造体２０における第１側面支持壁構造体３０および側の端部との間に設けられた開口部５０は、躯体Ａの内部と外部とを連通しており、開口部５０における外側および内側のそれぞれの端部に、外部出入口および内部出入口を規定する外部開口枠５１および内部開口枠５２が設けられている。
【００６９】
外部開口枠５１は、図５に示すように、第２側面支持壁構造体４０における外部補助支柱４３ａに沿って垂直状態で取り付けられた第１外部枠支柱５１ａと、この第１外部枠支柱５１ａから正面側に所定の間隔をあけた位置に垂直状態で配置された第２外部枠支柱５１ｂとを有している。第２外部枠支柱５１ｂは、正面支持壁構造体２０の端部に設けられた下段補強梁２９ｂおよび端部中段補強梁２９ｃのそれぞれの背面側の端部に、垂直状態で支持されている。
【００７０】
第１外部枠支柱５１ａおよび第２外部枠支柱５１ｂの上端部には、水平状態になった外部枠梁材５１ｃの各端部が連結されている。これら第１外部枠支柱５１ａ、第２外部枠支柱５１ｂ、外部枠梁材５１ｃによって構成された外部開口枠５１内に外部出入口が構成されている。
外部出入口内には、当該外部出入口を開閉する外部開閉扉５４が設けられている。外部開閉扉５４は、例えば、蛇腹状の回転扉によって構成されている。
【００７１】
図２に示すように、内部開口枠５２は、第２側面支持壁構造体４０における内部補助支柱４３ｂに沿って垂直状態で取り付けられた第１内部枠支柱５２ａと、この第１内部枠支柱５２ａから正面側に所定の間隔をあけた位置に垂直状態で配置された第２内部枠支柱５２ｂとを有している。第２内部枠支柱５２ｂは、第１内部枠支柱５１ｂとは、第２側面壁本体部４１の幅方向中心線に対して対称な位置に配置されている。第２内部枠支柱５２ｂは、図５に示すように、正面支持壁構造体２０における内部下段補強梁２５ｂ、内部中段補強梁２６ｂ、内部上段補強梁２７ｂのそれぞれに、垂直状態で支持されている。
【００７２】
第１内部枠支柱５２ａおよび第２内部枠支柱５２ｂの上端部には、水平状態になった内部枠梁材（図示せず）の各端部が連結されている。これら第２内部枠支柱５２ａ、第２内部枠支柱５２ｂ、内部枠梁材によって構成された内部開口枠５２内に内部出入口が構成されている。
内部出入口内には、当該内部出入口を開閉する内部開閉扉５５（図２参照）が設けられている。内部開閉扉５５も、蛇腹状の回転扉によって構成されている。
【００７３】
次に、躯体Ａ上に支持された屋根体Ｂについて説明する。屋根体Ｂは、図１に示すように、背面支持壁構造体１０の外部上段補強梁１７ａと、正面支持壁構造体２０の外部上段補強梁２７ａとにわたって、躯体Ａの幅方向に沿って架設された複数の垂木６１を有している。各垂木６１は、躯体Ａの長手方向に一定の間隔をあけて配置されている。
全ての垂木６１上には、躯体Ａの長手方向に沿って架設された複数の桟木６２が支持されている。各桟木６２は、躯体Ａの幅方向に一定の間隔をあけて配置されている。そして、全ての垂木６１上に、躯体Ａ全体を覆うトタン板等の屋根材６３が取り付けられている。
【００７４】
本実施形態の植物栽培室には、室内を冷却するための冷却システムが設けられている。この冷却システムは、図２に示すように、背面支持壁構造体１０の背面側に、３つの揚水井戸７１が設けられており、図１に示すように、各揚水井戸７１から汲み上げられた水が、揚水配管７２を介して、第１側面壁本体部３１上に配置された第１配管７３に供給される。第１配管７３は、背面壁本体部１１を構成する最上部の土嚢１１Ａにおけるスリット１１ｃ上に、当該スリット１１ｃに沿って配置されており、長手方向に一定の間隔をあけて、当該スリット１１ｃを介して土嚢袋１１ａ内の土に水を散布する配水口が設けられている。
【００７５】
また、この第１配管７３には、第１側面壁本体部３１上に設けられた第２配管７４（図４参照）および第２側面壁本体部４１上に設けられた第３配管７５（図５参照）がそれぞれ連結されている。第２配管７４および第３配管７５のそれぞれも、第１側面壁本体部３１および第２側面壁本体部４１を構成する最上部の土嚢３１Ａおよび４１Ａにおけるそれぞれのスリット上に、それぞれのスリットに沿って配置されており、長手方向に一定の間隔をあけて、それぞれのスリットを介して土嚢袋内の土に水を散布する配水口が設けられている。
【００７６】
さらに、第２配管７４には、正面壁本体部２１上に設けられた第４配管７６（図１参照）が連結されている。第４配管７６も、正面壁本体部２１を構成する最上部の土嚢２１Ａおけるスリット上に、当該スリットに沿って配置されており、長手方向に一定の間隔をあけて、当該スリットを介して土嚢袋内の土に水を散布する配水口が設けられている。
植物栽培室の内部には、例えば、図１に示すように、植物栽培台８１が配置される。本実施形態では、この植物栽培台８１は、内部に水が貯留できるようになっており、植物栽培台８１内に、栽培する植物の苗が収容された栽培用籠が配置される。各栽培用籠は、植物栽培台８１内に収容された水に、植物の苗が浸漬されるように、植物栽培台８１の内部に配置される。
【００７７】
第１配管７３〜第４配管７６のそれぞれに供給された水は、それぞれの配水口から、背面壁本体部１１、正面壁本体部２１、第１側面壁本体部３１、第２側面壁本体部４０のそれぞれの最上部の土嚢１１Ａ、２１Ａ、３１Ａ、４１Ａ内に充填された土に散布される。
背面壁本体部１１では、最上部の土嚢１１Ａに供給された水は、土嚢袋１１ａの通気部１１ｆを通って、下側の土嚢１１Ａに供給される。これにより、背面壁本体部１１の全ての土嚢１１Ａに水が供給される。
【００７８】
この場合、各土嚢１１Ａにおける土嚢袋１１ａの防水部１１ｅが、植物栽培室の内部側に位置し、通気部１１ｆが外部側に位置しているために、土嚢袋１１ａ内の土に含まれる水分は、水蒸気として、通気部１１ｆを通って排出される。このときの気化熱によって、各土嚢１１Ａ内の土が冷却される。正面壁本体部２１、第１側面壁本体部３１、第２側面壁本体部４０のそれぞれにおいても、同様にして、それぞれの土嚢２１Ａ、３１Ａ、４１Ａが冷却される。
【００７９】
このようにして、背面壁本体部１１、正面壁本体部２１、第１側面壁本体部３１、第２側面壁本体部４１それぞれが冷却されることによって、植物栽培室の内部が全体にわたって冷却される。これにより、植物栽培室の室内を、所望の植物の栽培に適した環境とすることができる。
このような構成の植物栽培室では、屋根体Ｂを支持する躯体Ａが、背面支持壁構造体１０、正面支持壁構造体２０、第１側面支持壁構造体３０、第２側面支持壁構造体４０のそれぞれによって支持されている。しかも、それぞれの背面壁本体部１１、正面壁本体部２１、第１側面壁本体部３１、第２側面壁本体部４１が、土嚢１１Ａ、２１Ａ、３１Ａ、４１Ａを積み重ねて構成されており、背面壁本体部１１、正面壁本体部２１、第１側面壁本体部３１、第２側面壁本体部４１のそれぞれに圧縮力が付加された状態になっている。
【００８０】
このために、例えば、背面壁本体部１１が地震等によって幅方向に沿って振動して曲げ応力が加わった場合に、背面壁本体部１１には、圧縮力が加わる部分と引っ張り力が加わる部分とが交互に生じる。しかし、この場合、土嚢１１Ａ内の土が圧縮力に対する強度に優れているために、圧縮力が加わる部分が崩壊するおそれはない。また、引っ張り力が生じる部分においては、背面壁本体部１１に付加された圧縮力によって、背面壁本体部１１に加わる引っ張り力が緩和され、実質的に引っ張り力が加わらない状態になる。これにより、背面壁本体部１１が地震等の振動によって崩壊するおそれがない。
【００８１】
このような構成の背面壁本体部１１によって、各支持部材１２の外部支柱１２ａおよび内部支柱１２ｂが支持された状態になっているために、外部支柱１２ａおよび内部支柱１２ｂも、地震による振動等によって倒れるおそれがない。
正面支持壁構造体２０、第１側面支持壁構造体３０、第２側面支持壁構造体４０のそれぞれにおいても同様である。
【００８２】
従って、背面支持壁構造体１０、正面支持壁構造体２０、第１側面支持壁構造体３０、第２側面支持壁構造体４０のそれぞれによって構成された躯体Ａが地震等の振動によって崩壊する可能性は極めて低く、屋根体Ｂを安定的に支持することができる。
また、背面壁本体部１１、正面壁本体部２１、第１側面壁本体部３１、第２側面壁本体部４１のそれぞれは、土嚢１１Ａ、２１Ａ、３１Ａ、４１Ａによって構成されているために、鉄筋コンクリートによって構成する場合よりも低コストであり、しかも、短期間で容易に構築することができる。
【００８３】
＜変形例＞
なお、上記の実施形態では、背面支持壁構造体１０、正面支持壁構造体２０、第１側面支持壁構造体３０、第２側面支持壁構造体４０のそれぞれの背面壁本体部１１、正面壁本体部２１、第１側面壁本体部３１、第２側面壁本体部４１を、ほぼ同程度の長さを有する土嚢１１Ａ、２１Ａ、３１Ａ、４１Ａを複数段に積み重ねる構成としたが、このような構成に限定されるものではなく、例えば、比較的短い複数の土嚢を水平方向に沿って直線状に並べてなる土嚢群を複数段に積み重ねる構成としてもよい。
【００８４】
また、上記の実施形態では、背面壁本体部１１を圧縮するために、圧縮プレート１４ｂの一方の端部のみをワイヤー１４ｄの牽引によって下方に押圧する構成としたが、圧縮プレート１４ｂの他方の端部も、ワイヤーの牽引によって下方に押圧するように構成してもよい。正面壁本体部２１および第２側面壁本体部４１についても同様である。
また、第１側面壁本体部３１も、背面壁本体部１１と同様に、圧縮プレートおよび一対の圧縮棒を設けてワイヤーの牽引によって下方に押圧する構成としてもよい。
【００８５】
さらには、背面壁本体部１１の圧縮プレート１４ｂを下方に押圧する手段としては、ワイヤー１４ｄの牽引による構成に限らない。例えば、圧縮プレート１４ｂの各端部を、外部支柱１２ａおよび内部支柱１２ｂのそれぞれに、例えばクランプ部材によって固定可能に構成して、圧縮プレート１４ｂの各端部を、クランプ部材によって下方に押圧した状態として、クランプ部材を、外部支柱１２ａおよび内部支柱１２ｂのそれぞれに固定する構成としてもよい。
【００８６】
この場合には、クランプ部材による押圧力が付与された圧縮プレート１４ｂによって土嚢１１Ａが圧縮されて、各土嚢１１Ａ内の土が締め固められると、クランプ部材による押圧力が、圧縮プレート１４ｂを介して各土嚢１１Ａに付加されなくなるが、この場合には、圧縮プレート１４ｂの各端部を、再度、クランプ部材によって下方に押圧した状態として、外部支柱１２ａおよび内部支柱１２ｂのそれぞれにクランプ部材を固定すればよい。
【００８７】
なお、この場合、圧縮プレート１４ｂの各端部を外部支柱１２ａおよび内部支柱１２ｂのそれぞれをクランプ部材によって固定する構成に限らず、外部支柱１２ａおよび内部支柱１２ｂのそれぞれの外周部にネジ部を形成して、各ネジ部にネジ結合されるナット部材を用いて、圧縮プレート１４ｂに対して下方への押圧力を付加する構成としてもよい。
正面壁本体部２１、第１側面壁本体部３１、および第２側面壁本体部４１のそれぞれについても同様である。
【産業上の利用可能性】
【００８８】
本発明は、植物栽培室等の簡易建築物において、耐震性に優れた壁構造体を低コストで、しかも短期間で構築する技術として有用である。
【符号の説明】
【００８９】
Ａ        躯体
Ｂ        屋根体
１０        背面支持壁構造体
１１        背面壁本体部
１１Ａ      土嚢
１１ａ      土嚢袋
１１ｃ      スリット
１２        支持部材
１２ａ      外部支柱
１２ｂ      内部支柱
１２ｃ      連結プレート
１４        圧縮機構
１４ａ      圧縮棒
１４ｂ      圧縮プレート
１４ｃ      クランプ部材
１４ｄ      ワイヤー
１４ｅ      支持杭
１４ｆ      ターンバックル
３０        第１側面支持壁構造体
３１        第１側面壁本体部
３１Ａ      土嚢
３２        支持部材
３２ａ      外部支柱
３２ｂ      内部支柱
３２ｃ      連結プレート
３４        圧縮機構
３４ａ      圧縮棒
３４g      クランプ部材
３４ｇ      圧縮用土嚢
４０        第２側面支持壁構造体
４１        第２側面壁本体部
４１Ａ      土嚢
４２        支持部材
４２ａ      外部支柱
４２ｂ      内部支柱
４２ｃ      連結プレート
４４        圧縮機構
４４ａ      圧縮棒
４４ｂ      圧縮プレート
４４ｃ      クランプ部材
４４ｄ      ワイヤー
４４ｅ      支持杭
４４ｆ      ターンバックル
６１        垂木
６２        桟木
６３        屋根材
【図１】
2013177750.tif 000003
【図２】
2013177750.tif 000004
【図３】
2013177750.tif 000005
【図４】
2013177750.tif 000006
【図５】
2013177750.tif 000007
【図６】
2013177750.tif 000008
【図７】
2013177750.tif 000009
【図８】
2013177750.tif 000010
【図９】
2013177750.tif 000011